(57)【要約】  コンピュータが実施する調査に参加する視聴者に関連する態度値に基づいて対象とするコンテンツを視聴者テレビジョンディスプレイに配信するためのテレビジョンチャネルまたは番組を選択する方法を開示する。調査回答情報、並びに視聴者に関連するテレビジョン視聴情報および人口学的情報を収集して中央データベース内に記憶してよい。態度値は視聴者の調査回答情報および／またはその他の情報から決定してよい。態度値は問題、話題、製品、サービスなどについての視聴者の見方を示してよい。他のテレビジョン視聴情報と共に態度値を用いて、対象とするコンテンツを視聴者に配信するためのテレビジョンチャネルまたは番組を選択してよい。
2014523216.tif 000002
【特許請求の範囲】
【請求項１】
コンピュータが実施する調査に参加する視聴者について決定される態度値と、視聴者のテレビジョン視聴情報および人口学的情報とに基づいて、視聴者に関連するテレビジョンディスプレイで見るようにコンテンツを送信する方法であって、
参加視聴者コンピュータからコンピュータネットワークにより送信される調査回答情報を中央データベースで受信することと、
前記参加視聴者のテレビジョン視聴情報を前記中央データベースで受信することと、
（１）参加視聴者および（２）調査回答情報を送信してこない不参加視聴者に関連する人口学的情報を中央データベースで受信することと、
前記調査回答情報からの価値志向情報、購入カテゴリ情報、購入志向情報、ブランド属性情報、購入関心情報、買物関心情報、企業関与情報、問題の質問情報、政治的志向情報、投票履歴情報、党派情報、および関心のレベル情報から成るグループから選択された情報を決定することと、
前記価値志向情報、購入カテゴリ情報、購入志向情報、ブランド属性情報、購入関心情報、買物関心情報、企業関与情報、問題の質問情報、政治的志向情報、投票履歴情報、党派情報、および関心のレベル情報の１つ以上に少なくとも部分的に基づいて非視聴者コンピュータを用いて前記参加視聴者毎に態度値を決定することと、  
前記非視聴者コンピュータを用いて前記テレビジョン視聴情報および態度値からテレビジョンチャネルまたはテレビジョン番組の品質訪問インデックス（ＱＶＩ）値を決定することと、
前記テレビジョンチャネルまたはテレビジョン番組の前記ＱＶＩ値に基づいて前記テレビジョンチャネルまたはテレビジョン番組のＴＶサービスプロバイダにコンテンツを提供することと、
前記参加または不参加の視聴者の一人に関連するテレビジョンディスプレイにコンテンツを送信することと、
を含むコンテンツを送信する方法。
【請求項２】
前記ＱＶＩ値は、目標グループリーチインデックス、対立グループリーチインデックス、ネット・サポート・スコア、および番組またはチャネルあたりの時間の長さ（分）インデックスから成るグループから選択された値に基づく、請求項１記載のコンテンツを送信する方法。
【請求項３】
前記ＱＶＩ値は、目標グループリーチインデックス、対立グループリーチインデックス、ネット・サポート・スコア、および番組またはチャネルあたりの時間の長さ（分）インデックス、から成るグループの２つ以上から選択された値に基づく、請求項１記載のコンテンツを送信する方法。
【請求項４】
前記参加または不参加の視聴者の一人に関連するディスプレイに前記コンテンツを表示するステップを更に含む、請求項１記載のコンテンツを送信する方法。
【請求項５】
前記ＱＶＩ値は、（１）選択された期間中に前記テレビジョンチャネルまたは番組を見た、選択された態度値に関連する参加視聴者の百分率と、（２）前記選択された期間中に前記テレビジョンチャネルまたは番組を見た参加視聴者の百分率との、コンピュータによる比較から少なくとも部分的に決定される、請求項１記載のコンテンツを送信する方法。
【請求項６】
選択された期間中に前記テレビジョンチャネルまたは番組を見た、選択された態度値に関連する参加視聴者コンピュータの前記百分率は、（１）前記選択された期間中に前記テレビジョンチャネルまたは番組を見た、前記選択された態度値に関連する参加視聴者の数と、（２）前記選択された態度値に関連する参加視聴者の数との、コンピュータによる比較に基づいて決定される、請求項５記載のコンテンツを送信する方法。
【請求項７】
前記中央データベース内で、前記態度値、前記調査回答情報、前記テレビジョン視聴情報、および人口学的情報を参加視聴者毎の匿名識別子に関連付けるステップを更に含む、請求項１記載のコンテンツを送信する方法。
【請求項８】
ＱＶＩ値を決定する前記ステップは、前記参加視聴者のテレビジョン視聴情報に、前記参加視聴者および前記不参加視聴者に関連する人口学的情報に基づく係数で重みを付けるステップを含む、請求項１記載のコンテンツを送信する方法。
【請求項９】
前記人口学的情報は、年齢、収入、性別、国勢調査地域、人種、教育レベル、宗教、宗教行事への参加の頻度、労働組合への加入、およびインターネット使用頻度の情報から成るグループから選択する、請求項８記載のコンテンツを送信する方法。
【請求項１０】
ＱＶＩ値を決定する前記ステップは、前記参加視聴者のテレビジョン視聴情報に、テレビジョン視聴情報を受ける期間に基づく係数で重みを付けるステップを含む、請求項１記載のコンテンツを送信する方法。
【請求項１１】
ＱＶＩ値を決定する前記ステップは、前記参加視聴者のテレビジョン視聴情報に、前記調査回答情報の受信と前記ＱＶＩ値の決定との間の時間の量に基づく係数で重みを付けるステップを含む、請求項１０記載のコンテンツを送信する方法。
【請求項１２】
前記ＱＶＩ値を決定することは、
前記参加視聴者に関連する態度値に基づいて前記テレビジョンチャネルまたは番組のネット・サポート・スコアを決定することと、
前記テレビジョンチャネルまたは番組のネット・サポート・スコアを他のテレビジョンチャネルまたは番組のネット・サポート・スコアに対してランク付けすることと、
を含む、請求項１記載のコンテンツを送信する方法。
【請求項１３】
前記ＱＶＩ値を決定することは、
所定の期間中に前記テレビジョンチャネルまたは番組を見た参加視聴者のしきい値数を決定すること、
を更に含む、請求項１２記載のコンテンツを送信する方法。
【請求項１４】
前記ＱＶＩ値を決定することは、
前記所定の期間中に前記テレビジョンチャネルまたは番組を見た、前記選択された態度値に関連する参加視聴者のしきい値数を決定すること、
を更に含む、請求項１２記載のコンテンツを送信する方法。
【請求項１５】
前記調査回答情報は３０日以上離れた異なる２日に前記参加視聴者コンピュータの１つから受信する、請求項１記載のコンテンツを送信する方法。
【請求項１６】
前記態度値は、価値志向情報、購入カテゴリ情報、購入志向情報、ブランド属性情報、購入関心情報、買物関心情報、企業関与情報、問題の質問情報、政治的志向情報、投票履歴情報、党派情報、および関心のレベル情報の２つ以上に少なくとも部分的に基づいて決定される、請求項１記載のコンテンツを送信する方法。
【請求項１７】
前記態度値は、価値志向情報、購入カテゴリ情報、購入志向情報、ブランド属性情報、購入関心情報、買物関心情報、および企業関与情報の３つ以上に少なくとも部分的に基づいて決定される、請求項１記載のコンテンツを送信する方法。
【請求項１８】
前記参加視聴者は複数の態度値に関連する、請求項１７記載のコンテンツを送信する方法。
【請求項１９】
前記参加または不参加の視聴者の一人に関連するテレビジョンディスプレイに前記コンテンツを送るステップは、前記所定の期間中に前記テレビジョンチャネルまたは番組を見た前記参加視聴者に関連する人口学的情報に部分的に依存する、請求項１記載のコンテンツを送信する方法。
【請求項２０】
前記テレビジョンチャネルまたは番組のＱＶＩ値に基づいて前記コンテンツを前記テレビジョンディスプレイに提供するステップは、前記所定の期間中に前記テレビジョンチャネルまたは番組を見た不参加視聴者に関連する人口学的情報に部分的に依存する、請求項１９記載のコンテンツを送信する方法。
【請求項２１】
前記テレビジョン視聴情報は少なくとも複数のセッション期間に関係する、請求項１記載のコンテンツを送信する方法。
【請求項２２】
前記複数のセッション期間は３０日以上の期間を含む、請求項２１記載のコンテンツを送信する方法。
【請求項２３】
前記調査回答情報を前記参加視聴者コンピュータから受信してから３０日以上後に、追加の調査回答情報を追加の参加視聴者コンピュータから受信するステップと、
前記追加の参加視聴者コンピュータから前記コンピュータネットワークにより送信される前記追加の調査回答情報を中央のデータベースで受信するステップと、
前記調査回答情報および前記追加の調査回答情報に基づいて前記参加および追加の参加視聴者毎の態度値を決定するステップと、
を更に含む、請求項１記載のコンテンツを送信する方法。
【請求項２４】
視聴者に関連するテレビジョンディスプレイに表示するコンテンツを決定する方法であって、
参加視聴者コンピュータからコンピュータネットワークにより送信される調査回答情報を中央データベースで受信することと、
前記参加視聴者のテレビジョン視聴情報を前記中央データベースで受信することと、
（１）参加視聴者および（２）調査回答情報を送信してこない不参加視聴者に関連する人口学的情報を前記中央データベースで受信することと、
前記調査回答情報からの価値志向情報、購入カテゴリ情報、購入志向情報、購入関心情報、ブランド属性情報、買物関心情報、企業関与情報、問題の質問情報、政治的志向情報、投票履歴情報、党派情報、および関心のレベル情報から成るグループから選択された情報を決定することと、
前記価値志向情報、購入カテゴリ情報、購入志向情報、ブランド属性情報、購入関心情報、買物関心情報、企業関与情報、問題の質問情報、政治的志向情報、投票履歴情報、党派情報、および関心のレベル情報の１つ以上に少なくとも部分的に基づいて前記参加視聴者毎に態度値を決定することと、
前記テレビジョン視聴情報および態度値からテレビジョンチャネルまたは番組の品質訪問インデックス（ＱＶＩ）値を決定することと、
前記テレビジョンチャネルまたは番組のＱＶＩ値に基づいて前記テレビジョンチャネルまたは番組に表示するコンテンツを提供することと、
を含むコンテンツを決定する方法。
【請求項２５】
前記ＱＶＩ値は、目標グループリーチインデックス、対立グループリーチインデックス、ネット・サポート・スコア、およびテレビジョンチャネルまたは番組あたりの時間の長さ（分）インデックスから成るグループから選択された値に基づく、請求項２４記載のコンテンツを決定する方法。
【請求項２６】
前記ＱＶＩ値は、目標グループリーチインデックス、対立グループリーチインデックス、ネット・サポート・スコア、およびテレビジョンチャネルまたは番組あたりの時間の長さ（分）インデックスから成るグループの２つ以上から選択された値に基づく、請求項２４記載のコンテンツを決定する方法。
【請求項２７】
前記参加または不参加の視聴者の一人に関連するディスプレイに前記コンテンツを表示するステップを更に含む、請求項２４記載のコンテンツを決定する方法。
【請求項２８】
前記ＱＶＩ値は、（１）選択された期間中に前記テレビジョンチャネルまたは番組を見た、選択された態度値に関連する参加視聴者の百分率と、（２）前記選択された期間中に前記テレビジョンチャネルまたは番組を見た参加視聴者の百分率との、コンピュータによる比較から少なくとも部分的に決定される、請求項２４記載のコンテンツを決定する方法。
【請求項２９】
選択された期間中に前記テレビジョンチャネルまたは番組を見た、選択された態度値に関連する参加視聴者の前記百分率は、（１）前記選択された期間中に前記テレビジョンチャネルまたは番組を見た、前記選択された態度値に関連する参加視聴者の数と、（２）前記選択された態度値に関連する参加視聴者の数との、コンピュータによる比較に基づいて決定される、請求項２８記載のコンテンツを決定する方法。
【請求項３０】
前記中央データベース内で、前記態度値、前記調査回答情報、前記テレビジョン視聴情報、および人口学的情報を参加視聴者毎の匿名識別子に関連付けるステップを更に含む、請求項２４記載のコンテンツを決定する方法。
【請求項３１】
ＱＶＩ値を決定する前記ステップは、前記参加視聴者のテレビジョン視聴情報に、前記参加視聴者および前記不参加視聴者に関連する人口学的情報に基づく係数で重みを付けるステップを含む、請求項２４記載のコンテンツを決定する方法。
【請求項３２】
ＱＶＩ値を決定する前記ステップは、前記参加視聴者のテレビジョン視聴情報に、テレビジョン視聴情報を受ける期間に基づく係数で重みを付けるステップを含む、請求項２４記載のコンテンツを決定する方法。
【請求項３３】
ＱＶＩ値を決定する前記ステップは、前記参加視聴者のテレビジョン視聴情報に、前記調査回答情報の受信と前記ＱＶＩ値の決定との間の時間の量に基づく係数で重みを付けるステップを含む、請求項２４記載のコンテンツを決定する方法。
【請求項３４】
前記ＱＶＩ値を決定することは、
前記参加視聴者に関連する態度値に基づいて前記テレビジョンチャネルまたは番組のネット・サポート・スコアを決定することと、
前記テレビジョンチャネルまたは番組のネット・サポート・スコアを他のテレビジョンチャネルまたは番組のネット・サポート・スコアに対してランク付けすることと、
を含む、請求項２４記載のコンテンツを決定する方法。
【請求項３５】
前記ＱＶＩ値を決定することは、
所定の期間中に前記テレビジョンチャネルまたは番組を見た参加視聴者のしきい値数を決定すること、
を更に含む、請求項２４記載のコンテンツを決定する方法。
【請求項３６】
前記ＱＶＩ値を決定することは、
前記所定の期間中に前記テレビジョンチャネルまたは番組を見た、前記選択された態度値に関連する参加視聴者コンピュータのしきい値数を決定すること、
を更に含む、請求項２４記載のコンテンツを決定する方法。
【請求項３７】
前記態度値は、価値志向情報、購入カテゴリ情報、購入志向情報、ブランド属性情報、購入関心情報、買物関心情報、企業関与情報、問題の質問情報、政治的志向情報、投票履歴情報、党派情報、および関心のレベル情報の２つ以上に少なくとも部分的に基づいて決定される、請求項２４記載のコンテンツを決定する方法。
【請求項３８】
前記調査回答情報を前記参加視聴者コンピュータから受信してから３０日以上後に、追加の調査回答情報を追加の参加視聴者コンピュータから受信するステップと、
前記追加の参加視聴者コンピュータから前記コンピュータネットワークにより送信される前記追加の調査回答情報を中央のデータベースで受信するステップと、
前記調査回答情報および前記追加の調査回答情報に基づいて前記参加および追加の参加視聴者毎の態度値を決定するステップと、
を更に含む、請求項２４記載のコンテンツを決定する方法。
【発明の詳細な説明】
【技術分野】
【０００１】
（関連出願の相互参照）
本出願は、非仮出願特許第１３／３６５，０２０号、２０１２年２月２日出願の「Ｍｅｔｈｏｄ  ａｎｄ  ａｐｐａｒａｔｕｓ  ｆｏｒ  Ｄｅｌｉｖｅｒｉｎｇ  Ｔａｒｇｅｔｅｄ  Ｃｏｎｔｅｎｔ  Ｔｏ  Ｔｅｌｅｖｉｓｉｏｎ  Ｖｉｅｗｅｒｓ」に関係し、かつその優先権を主張するものであり、前記非仮出願特許は仮特許出願特許第６１／５０９，６８３号、２０１１年７月２０日出願「Ｍｅｔｈｏｄ  ａｎｄ  ａｐｐａｒａｔｕｓ  ｆｏｒ  Ｄｅｌｉｖｅｒｉｎｇ  Ｔａｒｇｅｔｅｄ  Ｃｏｎｔｅｎｔ  Ｔｏ  Ｔｅｌｅｖｉｓｉｏｎ  Ｖｉｅｗｅｒｓ」に関係し、かつその優先権を主張するものである。
【０００２】
本発明は、対象となるコンテンツを複数のテレビジョン視聴者（視聴者と呼ぶ）に表示するために一つ以上の最適なテレビジョンチャネルまたは番組を決定するための方法および装置に関するものである。
【背景技術】
【０００３】
テレビジョンは広告主および他のコンテンツプロバイダがコンテンツ（広告を含むがこれに限定されない）をテレビジョン視聴者に配信するのに用いられている。視聴者は、個人、人のグループ（同じ家に住む人々など）、および／または個人または人のグループに関連する機器（インターネットブラウザを用いる機器またはコンピュータなどであるがこれらに限定されない）でよい。
【先行技術文献】
【特許文献】
【０００４】
【特許文献１】非仮出願特許第１３／３６５，０２０号
【特許文献２】仮出願特許第６１／５０９，６８３号
【発明の概要】
【発明が解決しようとする課題】
【０００５】
対象となるコンテンツ（すなわち、全員にではないが一部の視聴者に特に興味のあるコンテンツ）を特定の態度または意見を持つ視聴者に配信して、製品やサービスやブランドを選択的に販売促進する必要が常に存在する。コンテンツプロバイダおよび広告主が、特定の態度を持つ視聴者に対象となるコンテンツを配信するのに最適なテレビジョン番組またはチャネルを選択するときその能力は限られている。更に、これまでコンテンツプロバイダおよび広告主は、特定の態度および／または価値を持つ視聴者が見る可能性があり、同時に、対立する態度および／または価値を持つ視聴者が見る可能性がない、対象となるコンテンツを配信するためにテレビジョン番組またはチャネルを選択することができなかった。したがって、対象となるコンテンツを視聴者に配信するための改善された方法およびシステムが必要である。
【０００６】
本発明のいくつかの（必ずしも全てではない）実施の形態の利点は、対象となるコンテンツを特定の態度および／または価値を有する可能性がある視聴者に配信しまたは表示するためにテレビジョンチャネルを選択する方法およびシステムを提供することである。また本発明のいくつかの（必ずしも全てではない）実施の形態の利点は、対象となるコンテンツを配信したい視聴者のものとは対立する態度および／または価値を有する視聴者が見る可能性が少ない対象となるコンテンツを配信しまたは表示するためにテレビジョンチャネルを選択する方法およびシステムを提供することである。
【０００７】
本発明の種々の実施の形態の更なる利点は、部分的には以下の記述で説明されており、また部分的には本発明の記述からおよび／または実施の形態から当業者に明らかになる。
【課題を解決するための手段】
【０００８】
上述の問題提起に答えて、本出願者たちは、コンピュータが実施する調査に参加する視聴者について決定される態度値と、視聴者のテレビジョン視聴情報および人口学的情報とに基づいて、視聴者に関連するテレビジョンディスプレイで見れるようにコンテンツを送信する新たな方法を開発した。その方法は、参加視聴者コンピュータからコンピュータネットワークにより送信される調査回答情報を中央データベースで受信することと、参加視聴者のテレビジョン視聴情報を中央データベースで受信することと、（１）参加視聴者および（２）調査回答情報を送信してこない不参加視聴者に関連する人口学的情報を中央データベースで受信することと、調査回答情報からの価値志向情報、購入カテゴリ情報、購入志向情報、ブランド属性情報、購入関心（ｐｕｒｃｈａｓｅ  ｅｎｇａｇｅｍｅｎｔ）情報、買物関心情報、企業関与情報、問題の質問（ｉｓｓｕｅ  ｑｕｅｓｔｉｏｎ）情報、政治的志向情報、投票履歴情報、党派情報、および関心のレベル情報から成るグループから選択された情報を決定することと、価値志向情報、購入カテゴリ情報、購入志向情報、ブランド属性情報、購入関心情報、買物関心情報、企業関与情報、問題の質問情報、政治的志向情報、投票履歴情報、党派情報、および関心のレベル情報の１つ以上に少なくとも部分的に基づいて非視聴者コンピュータを用いて参加視聴者毎に態度値を決定することと、非視聴者コンピュータを用いてテレビジョン視聴情報および態度値からテレビジョンチャネルまたはテレビジョン番組の品質訪問インデックス（Ｑｕａｌｉｔｙ  Ｖｉｓｉｔａｔｉｏｎ  Ｉｎｄｅｘ）（ＱＶＩ）値を決定することと、テレビジョンチャネルまたはテレビジョン番組のＱＶＩ値に基づいてそのテレビジョンチャネルまたはテレビジョン番組のＴＶサービスプロバイダにコンテンツを提供することと、前記参加または不参加の視聴者の一人に関連するテレビジョンディスプレイにコンテンツを送信することとを含む。
【０００９】
本出願者たちは、視聴者に関連するテレビジョンディスプレイ上に表示するコンテンツを決定する新たな方法を開発した。その方法は、参加視聴者コンピュータからコンピュータネットワークにより送信される調査回答情報を中央データベースで受信することと、参加視聴者のテレビジョン視聴情報を中央データベースで受信することと、（１）参加視聴者および（２）調査回答情報を送信してこない不参加視聴者に関連する人口学的情報を中央データベースで受信することと、調査回答情報からの価値志向情報、購入カテゴリ情報、購入志向情報、購入関心情報、ブランド属性情報、買物関心情報、企業関与情報、問題の質問情報、政治的志向情報、投票履歴情報、党派情報、および関心のレベル情報から成るグループから選択された情報を決定することと、価値志向情報、購入カテゴリ情報、購入志向情報、ブランド属性情報、購入関心情報、買物関心情報、企業関与情報、問題の質問情報、政治的志向情報、投票履歴情報、党派情報、および関心のレベル情報の１つ以上に少なくとも部分的に基づいて参加視聴者毎に態度値を決定することと、テレビジョン視聴情報および態度値からテレビジョンチャネルまたは番組の品質訪問インデックス（ＱＶＩ）値を決定することと、テレビジョンチャネルまたは番組のＱＶＩ値に基づいてそのテレビジョンチャネルまたは番組に表示するコンテンツを提供することと、を含む。
【００１０】
理解されるように、上記の一般的な記述も以下の詳細な記述も具体例でありまた具体例に過ぎず、本発明の請求範囲を制限するものではない。
【図面の簡単な説明】
【００１１】
本発明の理解を助けるために添付の図面を参照する。図中、同じ参照番号は同じ要素を指す。
【図１】本発明の第１の実施の形態に関して構成されたコンピュータネットワークの略図である。
【図１Ａ】本発明の或る実施の形態に関して構成されたテレビジョンネットワークの略図である。
【図２】本発明の第１の方法の実施の形態を示す流れ図である。
【図３】本発明の或る実施の形態に係る、オンライン調査に含まれる例示の問題の質問と、例示のオンライン調査回答オプションおよび回答計算表を示すスライドである。
【図４】本発明の或る実施の形態に係る、態度値を決定するのに用いてよい情報成分を示す略図である。
【図５】本発明の或る実施の形態に係る、一般的関心行動および関連する重みの例を示すチャートである。
【図６】本発明の或る実施の形態に係る、一般的関心レベルおよび関連する記述の例を示すチャートである。
【図７】本発明の或る実施の形態に係る、政治的関心レベルおよび関連する記述の例を示すチャートである。
【図８】本発明の或る実施の形態に係る、支持関心行動のグループ化の例を示すチャートである。
【図９】本発明の或る実施の形態に係る、支持関心レベルおよび関連する記述および値の例を示すチャートである。
【図１０Ａ】本発明の或る方法の実施の形態に関して用いてよい投影重みを決定する方法を示す流れ図である。
【図１０Ｂ】本発明の或る実施の方法の形態に関して用いてよい投影重みを決定する方法を示す流れ図である。
【図１１】ネット・サポート・スコアおよびＱＶＩ値に基づくテレビジョンショーのランキングを示すチャートを含む。
【図１２】本発明の或る実施の形態に係る、価値表示、価値志向、および価値文の関係を示すチャートである。
【図１３】本発明の或る実施の形態に係る、買物関心レベルおよび関連する記述の例を示すチャートである。
【図１４】本発明の或る実施の形態に係る、企業関与レベルおよび関連する記述の例を示すチャートである。
【発明を実施するための形態】
【００１２】
以下に本発明の第１の実施の形態について詳細に述べるが、その一例を添付の図に示す。図１において、コンピュータネットワーク１０はコンピュータ１００を含んでよい。コンピュータ１００は、ここに述べる方法を実施するための永久プログラムを備える専用コンピュータでもよいし、ここに述べる方法を実施することができるソフトウエアでプログラムされた汎用コンピュータでもよい。コンピュータ１００は接続１２４を介して、中央データベース１１０から情報を受信しまたこれに情報を記憶してよい。またコンピュータ１００は接続１３０を介してネットワーク２００に接続してよい。ネットワーク２００は好ましくはインターネットである。接続１２４および１３０は電子情報を送信することができる任意の接続手段でよい。
【００１３】
中央データベース１１０は、コンピュータ１００で用いる情報を記憶する１つ以上の個別のデータベースおよび／またはデータベース表を含んでよい。中央データベース１１０内に記憶する情報は、調査回答情報１１２、人口学的情報１１４、ウエブサイト訪問情報１１６、テレビジョン視聴情報１１７、態度値情報１１８、品質訪問インデックス（ＱＶＩ）情報、ネット・サポート・スコア情報１２２、並びに、データベース内に記憶することができるここに述べる任意の他の情報を含んでよい。中央データベース１１０は、調査回答情報、人口学的情報、ウエブサイト訪問情報、テレビジョン視聴情報、および態度値情報を、参加視聴者および／またはその情報に関係する参加視聴者コンピュータの匿名識別子と関連付けてよい。
【００１４】
ネットワーク２００は複数の参加視聴者コンピュータ３００に接続してよく、コンピュータ３００はディスプレイ３０２に接続しまた複数の参加視聴者３０４に関連する。参加視聴者３０４はコンピュータ３００を用いて１台以上のウェブサーバ５００からウエブサイトにアクセスしてよい。ウェブサーバ５００はワールドワイドウェブの一部を形成し、インターネット２００を介して接続する。「参加」視聴者コンピュータ３００および「参加」視聴者３０４を「参加」と呼ぶのは、それぞれが、オンライン調査回答情報のコンピュータ１００への提供に参加するのに用いられるからである。視聴可能なウエブサイトコンテンツは１台以上のウェブサーバ５００から送信してよく、また参加視聴者３０４が視聴できるように参加視聴者コンピュータ３００はこれをディスプレイ３０２に表示してよい。
【００１５】
参加視聴者３０４はそれぞれ１台以上のテレビジョンディスプレイまたはモニタ３２０にも関連してよい。参加視聴者３０４はテレビジョンモニタ３２０を用いて、配信される対象となるコンテンツを見てよい。ネットワーク２００は、不参加視聴者３１０に関連する複数の不参加視聴者コンピュータ３０６にも接続してよい。不参加視聴者３１０はそれぞれ１台以上のテレビジョンディスプレイまたはモニタ３２０にも関連してよい。不参加視聴者３１０はテレビジョンモニタ３２０を用いて、配信される対象となるコンテンツを見てよい。
【００１６】
図１Ａに示すように、テレビジョンモニタ３２０は有線または無線接続を介して通信網１１００に接続してよい。通信網１１００はコンテンツをテレビジョンモニタに提供するのに必要な全てのネットワークを表すものである。したがって、認識されるように、通信網１１００は多重ネットワークを構成してよい。これは相互に接続してもしなくてもよく、また多様な通信プロトコルおよびネットワーク下部構造を用いてよい。例えば、制限なしに、通信網１１００は、ネットワーク１１００に接続する機器の間でビデオ、オーディオ、デジタル、および／または他のデータを配信することができる、１つ以上のケーブル、光ファイバ、衛星、マイクロウエーブ、および無線網を含んでよい。
【００１７】
図１Ａに示すように、通信網１１００は１台以上の第三者データベース１１１０に接続してよい。データベース１１１０は、視聴者プロフィール情報、テレビジョン広告コンテンツ属性、テレビジョンショー毎の情報、テレビジョン番組属性、地理的データ、視聴者履歴データ、調査回答情報１１２、人口学的情報１１４、テレビジョン視聴情報１１７、態度値情報１１８並びに、データベース内に記憶することのできるここで述べる任意の他の情報、の１つ以上を記憶する。テレビジョンショー毎の情報は、目標グループリーチインデックス、視聴者あたりの視聴時間の長さ(分）インデックス、時間あたりの広告数に関する情報、過去のパフォーマンスインデックス、コンテンツ品質インデックス、番組コンテンツ情報（アクション、コメディ、自然など）、ショーのタイプ（ドキュメンタリ、ニュース、ホームコメディ、映画など）の１つ以上を含んでよいが、これらに限定されない。
【００１８】
１台以上の第三者データベース１１１０に記憶する限りでは、視聴者プロフィール情報、テレビジョン広告コンテンツ属性、テレビジョン番組属性、テレビジョンショー毎の情報、地理的データ、および視聴者履歴データは、コンピュータ１００が定期的に検索して中央データベース１１０内に記憶してよい。またコンピュータ１００および中央データベース１１０は、調査回答情報１１２、人口学的情報１１４、テレビジョンチャネル視聴情報１１７、および態度値情報１１８を１台以上の第三者データベース１１１０に定期的に提供してよい。
【００１９】
また、通信網１１００は１つ以上のＴＶサービスプロバイダ１１２０に接続してよい。ＴＶサービスプロバイダ１１２０は、制限なしに、デジタルまたはアナログ放送局、デジタルビデオレコーダ（ＤＶＲ）サービスプロバイダ、衛星ＴＶサービスプロバイダ、ケーブルＴＶオペレータ（ＣＯ）、および光ファイバＴＶサービスプロバイダを含む。次に、１つ以上のＴＶサービスプロバイダ１１２０は、多数のケーブルＴＶネットワーク（ＣＮ）および衛星ＴＶネットワークの任意の１つ（これに限定されない）などの１つ以上のＴＶコンテンツプロバイダ１１３０に接続してよい。ＴＶサービスプロバイダ１１２０は、ＴＶ広告コンテンツを含むＴＶコンテンツをＴＶコンテンツプロバイダ１１３０から取得して、参加視聴者３０４および非参加視聴者３１０に配信してよい。ＴＶコンテンツプロバイダ１１３０も通信網１１００に接続してよい。広告代理店などの、ＴＶ広告コンテンツの別の供給源１１４０も通信網１１００に接続してよい。
【００２０】
中央データベース１１０内に記憶されるオンライン調査質問はコンピュータ１００から参加視聴者コンピュータ３００に送信してよい。参加視聴者３０４はそれぞれのコンピュータ３００を用いて、オンライン調査回答情報（すなわち、オンライン調査質問への回答）をインターネット２００によりコンピュータ１００に送信してよい。参加視聴者のテレビジョン視聴情報１１７もその参加視聴者についてインターネット２００または他のネットワークによりコンピュータ１００に送信してよい。別の実施の形態では、オンライン調査質問は、１台以上の第三者コンピュータ４００に関連する１台以上の第三者データベース４０２内に記憶してよい。かかる実施の形態では、オンライン調査質問は第三者コンピュータ４００から参加視聴者３０４に送ってよい。その後、調査回答情報は参加視聴者コンピュータ３００からコンピュータ１００に、直接インターネットを通してまたは１台以上の第三者コンピュータ４００を通して送ってよい。
【００２１】
コンピュータ１００は、１台以上のコンピュータ４００および関連するデータベースまたは１つ以上の第三者データプロバイダが保持するデータベース表４０２に接続し、またはこれらからその他の方法で情報を受信してよい。第三者データプロバイダコンピュータ４００および関連するデータベースまたはデータベース表４０２は、人口学的情報および／またはテレビジョン視聴情報（複数の不参加視聴者３１０に関係する、また複数の参加視聴者３０４の一人以上に関係する可能性がある）を記憶してよい。第三者データプロバイダコンピュータ４００は不参加視聴者の人口学的情報を、不参加視聴者コンピュータ３０６から、および／または他のオンライン源および／またはオフライン源から受信してよい。不参加視聴者の人口学的情報は第三者コンピュータ４００からコンピュータ１００に、インターネット接続４１０により、または直接の電気信号接続などの別の手段４２０により、または電子情報記憶媒体を介して送信してよい。第三者データプロバイダの例としてニールセン社（Ｎｉｅｌｓｅｎ  Ｃｏｍｐａｎｙ）、コムスコア（ｃｏｍＳｃｏｒｅ）、およびアクシオム（Ａｃｘｉｏｍ）があるが、これらに限定されない。
【００２２】
コンピュータ１００は接続またはその他の方法で１台以上のウェブサーバ５００から情報を受信してよい。ウェブサーバ５００は接続５１０およびインターネット２００により参加視聴者コンピュータ３００に、並びに不参加視聴者３１０に関連するコンピュータ３０６およびディスプレイに、ウェブサイトコンテンツを送信してよい。情報はコンピュータ１００とウェブサーバ５００との間で、インターネット２００により、または直接の電気信号接続などの別の手段５２０により、または電子情報記憶媒体を介して送信してよい。
【００２３】
図１および図２において、本発明の或る実施の形態に係る方法は次のように行ってよい。方法６００は、参加視聴者３０４または不参加視聴者３１０のテレビジョンモニタ３２０にコンテンツを表示するために、１つ以上のテレビジョンチャネルを、また恐らく１つ以上のテレビジョン番組に関して、選択するのに用いてよい。コンテンツは、１つ以上の態度値で表される１つ以上の特定の態度を有すると思われる視聴者３０４および３１０が見る１つ以上のテレビジョンチャネルの一部として表示することを目標にしてよい。コンテンツを表示するために選択するテレビジョンチャネルまたは恐らく番組は、視聴者に対する特定の製品、サービス、および／またはブランドの販売促進を最適にする基準に基づいて選択してよい。
【００２４】
図２において、ステップ６０２で、参加視聴者３０４は参加視聴者コンピュータ３００を用いてオンライン調査回答情報１１２をコンピュータ１００に提供してよい。オンライン調査回答情報１１２は、関連する参加視聴者コンピュータ３００を用いて参加視聴者３０４がオンライン調査を要求した結果、またはコンピュータ１００または他のコンピュータが未承諾オンライン調査を参加視聴者コンピュータ３００に行った結果、提供してよい。コンピュータ１００は調査回答情報１１２を中央データベース１１０内に記憶して、特定の参加視聴者３０４の調査回答情報とその特定の参加視聴者コンピュータ３００および／またはその特定の参加視聴者３０４の匿名識別子とを関連付けてよい。
【００２５】
好ましくは（必ずしも必要ではないが）、調査回答情報１１２は少なくとも１，０００台の参加視聴者コンピュータ３００から、より好ましくは少なくとも３，０００台の参加視聴者コンピュータから、そして最も好ましくは４，０００台以上の参加視聴者コンピュータから収集してよい。また好ましくは、調査回答情報１１２は時間的に離れた複数の調査「波」のコースにわたって参加視聴者コンピュータ３００から受信する。好ましくは、調査「波」は１日以上離れて、より好ましくは３０日以上離れて、最も好ましくは約３ヶ月以上離れて受ける。また好ましくは、参加視聴者３０４は３つ以上の調査波に応じて調査回答情報１１２を提供する。各調査波の中の調査質問は同じでもよいし異なってもよい。
【００２６】
調査回答情報１１２は以下の情報のカテゴリを決定するのに用いてよい。すなわち、ブランド属性情報を含む（しかしこれに限定されない）オフラインおよびオンライン購入情報、価値志向情報、異なる購入カテゴリの相対的価値志向を示す購入カテゴリ情報、購入品の価格、利便性、およびブランドの相対的重要度を示す購入志向情報、潜在的購入の態度調査が行われたことを示す購入関心情報、買物関心情報、企業関与情報、問題の質問情報、政治的志向情報、投票履歴情報、党派情報、および関心のレベル情報などである。
【００２７】
図１および図１２において、価値志向情報は、一組の質問への回答（調査回答情報）を視聴者コンピュータ３００で入力することにより決定してよい。調査回答情報は視聴者コンピュータ３００から中央コンピュータ１００に送ってよく、また中央データベース１１０内に記憶してよい。コンピュータ１００は調査回答情報の統計的解析を行って、複数の価値表現１０００毎に、数値スコア（例えば１−５の範囲の）を決定してよい。数値スコアは視聴者に対する各価値表現の重要度を示してよい。
【００２８】
コンピュータ１００は、視聴者の価値表現１０００スコアと複数の価値志向グループ１０１０の定義に関連する価値表現スコア要求とを比較してよい。これにより、この比較に基づいて視聴者コンピュータ３００が１つ以上の価値志向グループ１０１０と低い、中間、または高い類似性を有すると価値表現スコアが認めるかどうか、コンピュータ１００は決定してよい。この類似性は価値志向情報を含んでよい。コンピュータ１００は、視聴者コンピュータ３００と各価値志向グループ１０１０との類似性を示す情報をデータベース１１０内に記憶してよい。価値志向グループ１０１０はそれぞれに関連する価値文１０２０を有してよい。価値志向グループ１０１０は視聴者コンピュータのグループの特性を決定するのに用いてよい。
【００２９】
購入カテゴリ情報も調査情報から決定してよい。購入カテゴリグループは、食料、衣服、住宅などの特定の製品またはサービスのタイプについての視聴者の価値志向を示してよい。コンピュータ１００は視聴者コンピュータ３００の価値表現スコアと、複数の購入カテゴリグループの定義に関連する価値表現スコア要求とを比較してよい。この比較に基づいて視聴者コンピュータ３００が１つ以上の購入カテゴリグループと低い、中間、または高い類似性を有すると価値表現スコアが認めるかどうか、コンピュータ１００は決定してよい。この類似性レベルは購入カテゴリ情報を含んでよい。コンピュータ１００は視聴者コンピュータ３００と各購入カテゴリグループとの類似性を示す情報を記憶してよい。
【００３０】
例えば、視聴者コンピュータ３００と価値志向およびブランド属性情報とが類似性を示す１５の購入カテゴリグループ（生鮮食品、加工食品、簡易料理レストラン、家庭用品、ペット用品、健康および美容商品、子供向け商品、家具、自動車、衣料およびアクセサリ、電子機器およびコンピュータ、スポーツ用品、通信サービス、および金融サービスに関するもの）があるとする。以下に説明するように、購入カテゴリグループを価値志向グループの代わりに用いてよい。
【００３１】
調査回答情報は、特定の購入の価格、利便性（または入手しやすさ）、およびブランドの相対的重要度を示す、視聴者コンピュータ３００の購入志向情報を決定するのにも用いてよい。価格、利便性、およびブランドの相対的重要度は数値スコアまたはランキングにより示してよく、また広く全ての購入に適用してよく、または例えば購入カテゴリグループを含む購入のグループに適用してよい。購入志向情報はコンピュータ１００で中央データベース１１０内に記憶してよい。
【００３２】
図１および図１３において、調査回答情報１１２はまた、購入全体または購入のカテゴリについて視聴者コンピュータ３００と１つ以上の買物関心グループ１０３０との類似性の形の買物関心情報を決定するのに用いてよい。買物関心グループ１０３０は買物特性１０４０にそれぞれ関連してよい。買物関心のレベルは視聴者コンピュータ３００毎にコンピュータ１００で決定してよく、またこれを用いて任意の視聴者の定義すなわちグループの買物関心のレベルを決定してよい。買物関心のレベルは、コンピュータ１００で中央データベース１１０内に記憶する買物関心情報を含んでよい。例えば、図１３に示す４つの買物関心グループ１０３０のそれぞれに入る３５−４５歳の女性の百分率はコンピュータ１００で決定してよい。
【００３３】
図１および図１４において、調査回答情報１１２はまた、視聴者コンピュータ３００と、それぞれが企業関与特性１０６０に関連する１つ以上の企業関与グループ１０５０との類似性の形の企業関与情報を決定するのに用いてよい。企業関与のレベルは視聴者コンピュータ３００毎にまた視聴者のグループすなわち定義についてコンピュータ１００で決定してよい。この企業関与情報はコンピュータ１００で中央データベース１１０内に記憶してよい。
【００３４】
調査回答情報１１２はまた、視聴者コンピュータ３００と、１つ以上のブランド特性および関連する評定（品質（例えば、高い、低い）、パフォーマンス（例えば、最良、良、不良）、美的印象（例えば、愉快、不愉快）、機能性（例えば、最大、最小）新規性（例えば、最大、最小）、価値（例えば、高い、低い）、豪華さ（例えば、最大、最小）、使い易さ（例えば、最高、最低）、特異性（例えば、最大、最小）、および／または評判（例えば、高い、低い）など）との類似性の形のブランド属性情報を決定するのに用いてよい。コンピュータ１００は、視聴者のブランド属性グループを決定してよくまた１つ以上のブランド属性特性および関連する評定と関連付けてよい。ブランド属性情報およびブランド属性グループはコンピュータ１００で中央データベース１１０内に記憶してよい。
【００３５】
調査回答情報１１２はまた、参加視聴者３０４に関連する人口学的情報を含んでよい。調査回答情報１１２の一部である参加視聴者の人口学的情報は次のタイプの情報を含んでよい。すなわち、年齢、収入、性別、国勢調査地域、人種、性的指向、教育レベル、宗教、宗教行事への参加の頻度、労働組合への加入、インターネット使用頻度情報、趣味、興味、性格特徴などである。認識されるように、上述の人口学的情報のリストは限定されたものではなく、本発明の実施の形態は視聴者に関係する任意のタイプの人口学的情報を用いてよい。
【００３６】
改めて図２において、ステップ６０４で、参加および／または不参加の視聴者の人口学的情報１１４（調査回答情報１１２に含まれるものを除く）をコンピュータ１００で受信してよい。人口学的情報１１４は不参加視聴者３１０および参加視聴者３０４について一人以上の第三者が収集してよく、またはオンラインおよび／またはオフラインの情報の他の源から取得してよい。第三者は、不参加視聴者３１０および／または参加視聴者３０４のオンライン挙動の追跡を含む（これに限定されない）任意の周知の方法で人口学的情報１１４を収集しまたは取得してよい。認識されるように、本発明の別の実施の形態では、不参加視聴者３１０に関連する、および／または参加視聴者３０４に関連する人口学的情報１１４は、一人以上の第三者がではなく、コンピュータ１００のホストが収集してよい。
【００３７】
特定の参加視聴者に関する人口学的情報１１４は、中央データベース内の参加視聴者３０４の匿名識別子にコンピュータ１００で関連付けてよい。同様に、特定の不参加視聴者に関する人口学的情報１１４は、中央データベース内の不参加視聴者３１０の匿名識別子にコンピュータ１００で関連付けてよい。更に、人口学的情報１１４は複数回、好ましくは波あたり少なくとも１回、より好ましくは月あたり少なくとも１回提供してよい。
【００３８】
参加視聴者３０４に関する人口学的情報１１４は中央データベース内に記憶して、調査回答情報１１２に関して用いるのと同じ匿名識別子に関連付けてよい。不参加視聴者３１０に関する人口学的情報１１４は個々の不参加視聴者に特有でなく、オンライン視聴者の大きなグループを記述してよい。例えば、不参加視聴者３１０に関する人口学的情報１１４は、共通の地理的地域（例えば米国）内の多数の視聴者について、または或る共通の所属関係（政治、収入、民族、人種、宗教、年齢、性別など）を有することを特徴とする任意の他のグループ内の多数の視聴者について収集してよい。より特定すると、本発明の好ましい実施の形態では、不参加視聴者３１０に関する人口学的情報１１４は、年齢範囲、性別、家計収入範囲、国勢調査地域、インターネット使用の強さ（重い／中間／軽い）などにより定義される個々の不参加視聴者に関するように、受信しまたは記憶してよい。
【００３９】
更に図１および図２において、ステップ６０６で、参加視聴者３０４に関する、また可能性として不参加視聴者３１０に関する、テレビジョン視聴情報１１７をコンピュータ１００で受信してよい。テレビジョン視聴情報１１７は、参加視聴者３０４および不参加視聴者３１０についてコンピュータ１００で直接に、または１台以上の第三者コンピュータまたはテレビジョン・セットトップボックス４００および／または関連するデータベース４０２から収集してよい。しかし認識されるように、本発明の実施の形態は不参加視聴者３１０に関するテレビジョン視聴情報１１７を受信せずに実施してよい。
【００４０】
全ての参加視聴者３０４について１−３ヶ月以上の期間（すなわち、波）にわたってかかるテレビジョン視聴情報を追跡することが好ましいが、認識されるように、本発明の目的とする範囲から逸れずに、一部の参加視聴者は追跡プロセスから「外れて」よい。したがって、かかる参加視聴者のテレビジョン視聴情報は、１−３ヶ月ではなく、１セッション、１日、または１週以上のコースにわたってのみ利用可能でよい。
【００４１】
テレビジョン視聴情報１１７は中央データベース１１０がコンピュータ１００から受信してその中に記憶してよい。テレビジョン視聴情報１１７の追跡は、参加および不参加の視聴者テレビジョンまたはセットトップボックスにインストールされたソフトウエアを用いて、または視聴者のテレビジョン視聴行動を追跡する任意の他の方法を用いて実施してよい。
【００４２】
テレビジョン番組訪問情報１１７は、見た番組、見た時間の長さ（分）、見たチャネル、日付、時間帯などを含んでよいが、必ずしもこれに限定されない。セッションとは或る人が１つ以上のテレビジョン番組を見た時間と定義する。
【００４３】
図２のステップ６０８で、参加視聴者の重み係数を、参加視聴者３０４の人口学的情報１１４と不参加視聴者３１０の人口学的情報とのコンピュータ１００による比較に基づいて決定してよい。重み係数は参加視聴者３０４に関するテレビジョン番組訪問情報１１７および他の特性に重みを付けるのに用いてよく、年齢、性別などによる人口学的グループ化に関する参加視聴者の人口が同じ期間中の同じ人口学的グループに関する全テレビジョン視聴人口の人口学的分布に一層密接に投影する（ｐｒｏｊｅｃｔ）ようにする。
【００４４】
図２のステップ６１０で、調査回答情報１１２、人口学的情報１１４、および／またはテレビジョン視聴情報１１７に基づいて、参加視聴者３０４に関連する態度値を決定してよい。態度値は、参加視聴者の政治的態度、法的態度、規制の態度、企業の態度、および／または製品の態度を示してよい。本発明のいくつかの実施の形態では、態度値は以下のタイプの情報（すなわち、ブランド属性情報、価値志向情報、購入カテゴリ情報、購入志向情報、購入関心情報、買物関心情報、および企業関与情報）の１つ以上を全体的に含み、またはこれらに部分的に基づいてよい。
【００４５】
ステップ６１２で、選択された態度値を有する参加視聴者の目標グループへの各テレビジョン番組またはチャネルのリーチと、目標グループの選択された態度値とは異なる態度値を有する参加視聴者の対立グループへの全テレビジョン番組またはチャネルのリーチとを決定してよい。決定されたリーチは、各テレビジョン番組を見る、目標グループ内および対立グループ内の参加視聴者の数を示してよい。
【００４６】
図２のステップ６１４で、目標グループへのテレビジョン番組のリーチと対立グループへのテレビジョン番組のリーチとの比較に基づいて、目標グループを目標としかつ対立グループを目標としないコンテンツを含む１つ以上のテレビジョンチャネルを選択してよい。一例では、対象となるコンテンツを配信するのに、目標グループと対立グループのリーチの間に最大の差を有するテレビジョン番組またはチャネルを選択することが好ましいことがある。
【００４７】
図２のステップ６１６で、ステップ６１４で選択したテレビジョンチャネルを参加視聴者３０４および不参加視聴者３１０が見ると、対象となるコンテンツが参加および不参加の視聴者のテレビジョンモニタ３２０に表示される。
【００４８】
図２のステップ６０８で述べた重み係数は図１０Ａおよび図１０Ｂに示す方法を用いて決定してよい。図１０Ａおよび図１０Ｂにおいて、ステップ８００で、選択された解析期間内および同じ人口学的グループ（例えば、年齢グループ）内の各参加視聴者に同じ初期重み値を割り当てよい。解析期間は、参加視聴者３０４のテレビジョン視聴情報を利用できる任意の期間でよい。解析期間は好ましくは１ヶ月以上であり、より好ましくは少なくとも約３ヶ月である。好ましくは、図１０Ａおよび図１０Ｂに示す方法はその解析期間中の各月の相当する情報について行う。
【００４９】
図１０Ａのステップ８０１で、年齢グループに関する参加視聴者３０４の百分率による人口学的分布をコンピュータ１００で人口学的情報１１４から決定してよい。年齢グループの年数の例を示すと、１８−２４、２５−３４、３５−４４、４５−５４、５５−６４、および６５以上である。認識されるように、本発明の範囲から逸れずに、他の年齢グループを用いることができる。
【００５０】
ステップ８０２で、米国などの地理的地区のテレビジョン視聴人口の年齢グループに関する百分率による人口学的分布をコンピュータ１００で人口学的情報１１４から決定してよい。テレビジョン視聴人口はほとんど全てが（全てではないにしても）不参加視聴者３１０で構成するが、或る小さな割合で参加視聴者３０４も含んでよい。ステップ８０４で、コンピュータ１００を用いて、年齢グループに関するテレビジョン視聴人口の人口学的分布を、対応する年齢グループに関する参加視聴者３０４の人口学的分布で割って、年齢重み係数を計算してよい。例えば、年齢グループ１８−２４については、１８−２４歳の年齢範囲内のテレビジョン視聴人口の百分率による人口学的分布を、同じ年齢範囲内の参加視聴者３０４の百分率による人口学的分布で割って、年齢重み係数を計算してよい。年齢重み係数はコンピュータ１００で中央データベース１１０内に記憶してよい。
【００５１】
図１０Ａのステップ８０６で、性別グループに関する参加視聴者３０４の百分率による人口学的分布をコンピュータ１００で人口学的情報１１４から決定してよい。性別グループの例は男性と女性である。ステップ８０８で、テレビジョン視聴人口の性別グループに関する百分率による人口学的分布をコンピュータ１００で人口学的情報１１４から決定してよい。ステップ８１０で、コンピュータ１００を用いて、テレビジョン視聴人口の性別に関する人口学的分布を、対応する性別グループに関する参加視聴者３０４の人口学的分布で割って、性別重み係数を計算してよい。性別重み係数はコンピュータ１００で中央データベース１１０内に記憶してよい。
【００５２】
図１０Ａのステップ８１２で、家計収入グループに関する参加視聴者３０４の百分率による人口学的分布をコンピュータ１００で人口学的情報１１４から決定してよい。家計収入グループの例は、２５，０００ドル以下、２５，００１ドル−５０，０００ドル、５０，００１ドル−７５，０００ドル、などである。ステップ８１４で、テレビジョン視聴人口の家計収入グループに関する百分率による人口学的分布をコンピュータ１００で人口学的情報１１４から決定してよい。ステップ８１６で、コンピュータ１００を用いて、テレビジョン視聴人口の家計収入に関する人口学的分布を、対応する家計収入グループに関する参加視聴者３０４の人口学的分布で割って、家計収入重み係数を計算してよい。家計収入重み係数はコンピュータ１００で中央データベース１１０内に記憶してよい。
【００５３】
図１０Ａのステップ８１８で、国勢調査地域に関する参加視聴者３０４の百分率による人口学的分布をコンピュータ１００で人口学的情報１１４から決定してよい。ステップ８２０で、テレビジョン視聴人口の国勢調査地域に関する百分率による人口学的分布をコンピュータ１００で人口学的情報１１４から決定してよい。ステップ８２２で、コンピュータ１００を用いて、テレビジョン視聴人口の国勢調査地域に関する人口学的分布を、対応する国勢調査地域に関する参加視聴者３０４の人口学的分布で割って、国勢調査地域重み係数を計算してよい。国勢調査地域重み係数はコンピュータ１００で中央データベース１１０内に記憶してよい。
【００５４】
図１０Ａのステップ８２４で、或る期間中のテレビジョン使用（重い／中間／軽い）に関する参加視聴者３０４の百分率による人口学的分布をコンピュータ１００で人口学的情報１１４から決定してよい。テレビジョン使用グループの例は、重い（毎月３４３０分以上）、軽い（毎月３００分以下）、中間（その他）である。ステップ８２６で、テレビジョン視聴人口のテレビジョン使用に関する百分率による人口学的分布をコンピュータ１００で人口学的情報１１４から決定してよい。図１０Ｂのステップ８２８で、コンピュータ１００を用いて、テレビジョン視聴人口のテレビジョン使用に関する人口学的分布を、対応するテレビジョン使用グループに関する参加視聴者３０４の人口学的分布で割って、テレビジョン使用重み係数を計算してよい。テレビジョン使用重み係数はコンピュータ１００で中央データベース１１０内に記憶してよい。
【００５５】
図１０Ｂのステップ８３０−８４８で、決定された重み係数に参加視聴者３０４の百分率による対応する人口学的分布を掛けた積が同じ人口学的測定基準のテレビジョン人口の百分率による人口学的分布とほぼ同じ値になるまで、ステップ８０１−８２８で説明した年齢グループ、性別グループ、家計収入グループ、国勢調査地域、およびテレビジョン使用グループの決定に関する各サブルーチンを繰り返す。例えば、年齢グループ重み係数に参加視聴者３０４の年齢に関する百分率による人口学的分布を掛けた積が年齢に関するテレビジョン視聴人口の百分率による人口学的分布とほぼ同じ値になるまで、ステップ８３０−８４８を繰り返す。
【００５６】
更に、人口学的カテゴリ毎に得られる人口学的分布が、性別、家計収入、国勢調査地域、およびテレビジョン使用などの人口学的カテゴリ毎にやはりほぼ同じになるまで、このプロセスを繰り返す。上述のステップで値が「ほぼ同じ」と見なされるのは、プロセスを引き続き繰り返しても、繰返しごとの値が実質的に変化しなくなるときである。また認識すべきであるが、上述の例で用いた人口学的情報１１４の選択は本発明では制限がないと考える。本発明の範囲から逸れることなく、ステップ８０１−８４８で用いる人口学的情報１１４はより少なくても、より多くても、および／または異なってもよい。
【００５７】
ステップ８００−８４８は解析期間を形成する複数の個別の期間毎に繰り返す。好ましくは、ステップ８００−８４８は参加視聴者３０４が利用可能なデータの月毎に繰り返す。例えば、解析期間が３ヶ月の場合は、ステップ８００−８４８を３回実施して、各月の人口学的分布に対応する３組の重み係数を生成してよい。
【００５８】
図１０Ｂのステップ８５０で、選択された期間毎の参加視聴者３０４毎に、解析期間中の各期間（例えば、月）にわたってまた各特定の参加視聴者に適用する全ての重み係数にわたって、ステップ８０１−８４８で決定された重み係数をコンピュータ１００で合計してよい。得られた和は、その参加視聴者の匿名識別子に関連して中央データベース１１０内に記憶してよい。例えば、年収４５，０００ドルで、米国北西部に住み、テレビジョンを毎月５００分見る２０歳の男子の参加視聴者について、コンピュータ１００は、３ヶ月の人口学的情報毎に計算された１８−２４歳グループ、男性グループ、２５，００１−５０，０００ドルの家計収入グループ、米国北西部の国勢調査地域、および中間のテレビジョン使用の重み係数を合計し、この和をその参加視聴者の匿名識別子に関連して中央データベース１１０内に記憶してよい。
【００５９】
ステップ８５２で、解析期間中の全テレビジョン視聴人口の大きさをコンピュータ１００で人口学的情報１１４から決定してよい。例えば、テレビジョン視聴人口が、解析期間の第１月は１億６千万人、第２月は１億７千万人、第３月は１億８千万人である場合は、その解析期間の全テレビジョン視聴人口は５億１千万人の視聴者になる。
【００６０】
ステップ８５４で、コンピュータ１００は参加視聴者３０４毎に投影係数（ｐｒｏｊｅｃｔｉｏｎ  ｆａｃｔｏｒ）を計算してよい。これはステップ８５２で決定したテレビジョン視聴人口の大きさを、ステップ８５０で計算した重みの和で割った商である。ステップ８５６で、コンピュータ１００を用いて、ステップ８００で特定の参加視聴者に割り当てた重みにステップ８５４で計算した投影係数を掛けて、参加視聴者３０４毎に投影重みを計算してよい。
【００６１】
図１０Ａ−１０Ｂで説明したプロセスを行うことにより決定された参加視聴者３０４の投影係数を用いて品質訪問インデックス（ＱＶＩ）値を決定する。ＱＶＩ値は、対象となるコンテンツを参加および不参加の視聴者に配信するのにどのテレビジョンチャネルおよび／または番組を選択するかを決定するのに用いる。ＱＶＩ決定に関して、第１のステップ９００で解析期間を選択する。これは好ましくは、図１０Ａ−１０Ｂで説明したプロセスに関して用いたのと同じ解析期間であるべきである。
【００６２】
ステップ９０２で、参加視聴者に関連するテレビジョン視聴情報および他の特性に対して参加視聴者３０４の投影係数をコンピュータ１００で適用して、投影されたテレビジョン視聴情報および投影された特性情報を作成する。「投影された」情報は、本質的に個々の参加視聴者に関する情報を拡大または縮小して、特定の参加視聴者に関する情報が、その参加視聴者が一部である人口学的グループ（年齢、性別など）の構成に比例するようにしたものである。例えば、特定の参加視聴者３０４の投影係数に、その解析期間の同じ参加視聴者に関する以下のテレビジョン視聴情報１１７（すなわち、テレビジョンチャネルを見た回数、テレビジョンチャネルを見た時間の長さ（分）、セッション数、テレビジョン番組視聴期間）を掛けてよい。
【００６３】
ステップ９０４で、コンピュータ１００はテレビジョン視聴情報１１７を用いて、解析期間中の月毎に一人以上の参加視聴者が見たテレビジョンチャネル毎に投影された月次視聴測定基準を決定してよい。テレビジョンチャネルまたは番組毎に決定される視聴測定基準は、ユニーク視聴者の数、番組を見た時間の長さ（例えば、分）、テレビジョン番組あたりの広告の数、および時間あたりの広告数を含むが、必ずしもこれらに限定されない。テレビジョンチャネルの視聴測定基準の決定は上に述べた投影係数により影響されることがある。例えば、一人の参加視聴者３０４が「２」という投影係数を有し、かつその参加視聴者がテレビジョンチャネルを１０分間見た場合は、投影係数によって、そのテレビジョンチャネルを２０分間見たと数える。
【００６４】
ステップ９０６で、ステップ９０４で決定した投影された視聴測定基準をコンピュータ１００で結合して（すなわち、合計して）よい。結合する前に月次視聴測定基準に割引係数を適用して、前の月に関する視聴測定基準の減少値を説明してよい。例えば、解析期間が視聴測定基準の前の３ヶ月を含む場合は、その解析期間中の最初の月の視聴測定基準に割引係数０．５を掛け、第２の月の視聴測定基準に割引係数０．７５を掛けてよい。この割引係数の例は単なる説明のためのものであって、本発明の意図された範囲を制限するものではない。結合された月次視聴測定基準はコンピュータ１００で中央データベース１１０内に記憶してよい。
【００６５】
ステップ９０８で、一人以上の参加視聴者３０４が見た各テレビジョンチャネルの全リーチを、テレビジョン番組視聴情報１１７を用いてコンピュータ１００で計算してよい。全リーチは、解析期間中のそのテレビジョンチャネルへの投影された参加視聴者のユニークビジットの数を、投影された参加視聴者の総数で割った商でよい。各テレビジョンチャネルの全リーチはコンピュータ１００で中央データベース１１０内に記憶してよい。
【００６６】
ステップ９１０で、コンピュータ１００はテレビジョン番組視聴情報１１７を用いて、投影された参加視聴者あたりに各テレビジョンチャネルを見た投影された時間の長さ（分／視聴者）を決定してよい。テレビジョンチャネル毎の（分／視聴者）はコンピュータ１００で中央データベース１１０内に記憶してよい。
【００６７】
ステップ９１２で、コンピュータ１００は、対象となるコンテンツを送るべき参加視聴者の目標グループとしてどの参加視聴者が資格があるかを決定してよい。参加視聴者の目標グループはコンピュータ１００を用いて決定し、参加視聴者毎に１つ以上の態度値を決定してよい。次に、その参加視聴者の決定された態度値と、選択された態度値のしきい値および／または態度値の範囲とをコンピュータ１００で比較してよい。特定の参加視聴者の態度値が、選択された態度値のしきい値および／または範囲を満たす場合は、その参加視聴者が目標グループの一部であることをコンピュータ１００で示してよい。
【００６８】
調査回答情報１１２は参加視聴者３０４の態度値を直接または間接に決定するのに用いてよい。例えば図３において、調査回答情報１１２は、原子力発電所の政府の規制に関する問題の質問７００に対する参加視聴者３０４の回答を含んでよい。参加視聴者３０４は参加視聴者コンピュータ３００を用いて、メニュー７０２で与えられる「強く反対」から「強く支持」に及ぶ態度の１つを選択することにより、かかる規制に関する自分の態度を示してよい。特定の問題についての調査回答情報１１２から図３に図示する計算表７０４が得られ、これは各自がそれぞれ対応する態度を有すると自分自身を特徴付ける参加視聴者３０４の百分率の数を示す。各問題の質問７００に関する各参加視聴者３０４の調査回答情報１１２は中央データベース１００内に記憶してよい。
【００６９】
更に図４において、問題の質問７００への回答に加えて、調査回答情報１１２は更に、例えば、政治的志向の質問７１０、関心のレベルの質問７２０、投票履歴／党所属の質問７３０に対する回答を含んでよい。政治的志向の質問７１０の性格は問題の質問７００より更に一般的である。問題の質問の一例を図３に示す。これに対して、政治的志向の質問７１０の例を以下に示す。
・  ビジネスの政府規制に反対しますか。
・  政府が提供する健康管理に反対しますか。
【００７０】
投票履歴／党所属の質問７３０の例を以下に示す。
・  投票頻度はどのくらいですか。
・  通常、投票者としてどんな選挙に投票しますか。
・  どの政党の党員ですか。
問題の質問７００、政治的志向の質問７１０、投票履歴／党所属の質問７３０についての上述の例は説明のためのものであって、本発明の意図する範囲を制限するものではない。認識されるように、本発明の範囲から逸れずに、これらのタイプの質問（すなわち、問題、政治的志向、投票履歴／党所属）の１つ以上を調査回答情報１１２に含めなくてよい。
【００７１】
更に、調査回答情報１１２に含まれる関心のレベルの質問７２０を用いて、図５−９に示す１つ以上の関心スケールについて参加視聴者３０４毎に関心のレベルの１つ以上の値を決定してよい。図５−９に示す３つの関心スケールは、一般的関心スケール、政治的関心スケール、および支持関心スケールである。関心スケールの数およびタイプ、並びにスケールに関して用いられる関連する定義、レベル、および値は単なる例であって本発明を制限するものではなく、本発明は何らの関心スケールなしに行ってよい。関心スケールの別のレベルを、例えば図１５−１６に示す。
【００７２】
更に図５において、調査回答情報１１２は特定の参加視聴者３０４が図５に列挙する一般的関心行動７２２の１つ以上をとったことを示してよい。例示の一般的関心行動７２２はそれぞれ、コンピュータ１００でチャートの左の列７２４に示す行動値に関連してよい。コンピュータ１００は参加視聴者３０４毎の調査回答情報１１２と行動７２２とを比較して、その参加視聴者に属すべき図６に示すチャート内の一般的関心レベル７２６を決定してよい。或る参加視聴者に属すると調査回答情報１１２が示す行動値をコンピュータ１００で加え合わせて、累積一般的関心値を合計してよい。図６は、０の累積一般的関心値に関連する「無関心」から１３−３８の範囲の累積一般的関心値に関連する「高」レベルの関心に及ぶ、４つの例示の一般的関心値範囲７２６をそれぞれ示す。参加視聴者３０４毎の累積一般的関心値は、その参加視聴者の匿名識別子に関連して、コンピュータ１００で中央データベース１１０内に記憶してよい。
【００７３】
図７において、調査回答情報１１２は更に、特定の参加視聴者３０４がチャート７２８に示す政治的関心の定義７３０の１つ以上を満たすことを示してよい。調査回答情報１１２と定義７３０とのコンピュータ１００による比較に基づいて、例示の政治的関心スケール上の政治的関心レベル７３２および関連する政治的関心値７３４の１つに参加視聴者３０４を関連付けてよい。チャート７２８に示すように、政治的関心レベル７３２および関連する値７３４は階層的であって、或る参加視聴者が次に高いレベルの定義７３０を満たすにはその前の低いレベルの要件を満たさなければならない。参加視聴者３０４毎の政治的関心値７３４は、中央データベース１１０内の参加視聴者の匿名識別子にコンピュータ１００で関連付けてよい。
【００７４】
図８において、調査回答情報１１２は更に、特定の参加視聴者３０４がチャート７３６に示す支持関心行動の１つ以上をとったことを示してよい。ここに示す例では、各支持関心行動を４つのグループ（すなわち、私的行動７３８、活動的関与行動７４０、組織化された政治的行動７４２、公共的／高レベルの関与行動７４４）の１つの中に置いてよい。図８および図９において、（１）参加視聴者の調査回答情報１１２に示す支持関心行動と（２）支持関心レベル記述７５２との間のコンピュータ１００による比較に基づいて、特定の参加視聴者３０４を、チャート７４６に示す支持関心レベル７４８および対応する支持関心値７５０の１つに関連付けてよい。参加視聴者３０４が資格を持つ支持関心レベル７４８に対応する支持関心値７５０は、中央データベース１１０内の参加視聴者の匿名識別子にコンピュータ１００で関連付けてよい。
【００７５】
再び図６−９において、累積一般的関心値７２６、政治的関心値７３４、および支持関心値７５０の１つ以上を、参加視聴者毎の態度値１１８の決定に用いてよい。態度値１１８の決定は更にテレビジョン視聴情報１１７および／または人口学的情報１１６に基づいてよい。好ましくは、態度値情報１１８は、特定の参加視聴者３０４に関連する調査回答情報１１２、テレビジョン視聴情報１１７、および人口学的情報１１４の組合せから決定する。
【００７６】
図１２−１４において、本発明の別の実施の形態では、態度値はまた、上に述べた価値志向情報、購入カテゴリ情報、購入志向情報、ブランド属性情報、購入関心情報、買物関心情報、企業関与情報、問題の質問情報、政治的志向情報、投票履歴情報、党派情報、および関心のレベル情報に、全体的にまたはその１つ以上に部分的に基づいて決定してよい。
【００７７】
ステップ９１４で、コンピュータ１００はテレビジョン視聴情報１１７を用いて、解析期間中の月毎に目標グループ内の参加視聴者３０４が見たテレビジョン番組毎の投影された月次視聴測定基準を決定してよい。テレビジョンチャネル毎に決定される視聴測定基準はステップ９０４に関して述べたのと同じ測定基準を含んでよく、またステップ９０４と同じように投影係数により影響されることがある。
【００７８】
ステップ９１６で、ステップ９１４で決定された投影された月次視聴測定基準を、ステップ９０６で説明したのと同じようにしてコンピュータ１００で結合して（すなわち、合計して）よい。結合する前に月次視聴測定基準に割引係数を適用して、前の月に関する視聴測定基準の減少値を説明してよい。結合された投影された月次視聴測定基準はコンピュータ１００で中央データベース１１０内に記憶してよい。
【００７９】
ステップ９１８で、目標グループ内の参加視聴者３０４が見た各テレビジョンチャネルの目標グループリーチを、テレビジョン視聴情報１１７を用いてコンピュータ１００で計算してよい。目標グループリーチは、解析期間中の目標グループ内の視聴者によるそのテレビジョンチャネルへの投影されたユニークビジタの数を、目標グループ内の投影された参加視聴者の総数で割った商でよい。各テレビジョンチャネルの目標グループリーチはコンピュータ１００で中央データベース１１０内に記憶してよい。
【００８０】
ステップ９２０で、コンピュータ１００はテレビジョン視聴情報１１７を用いて、目標グループ内の投影された参加視聴者あたりに各番組を見た時間の長さ（目標グループ  分／視聴者）を決定してよい。目標グループ  分／視聴者  は、目標グループに関連する全ての投影された参加視聴者が番組またはチャネルを見た時間の長さ（分）を、目標グループ内の参加視聴者のユニーク視聴者の数で割ったものを合計して決定してよい。
【００８１】
ステップ９２２で、コンピュータ１００はテレビジョン視聴情報１１７を用いて、各テレビジョンチャネルのユニーク視聴者だった目標グループ内の参加視聴者３０４の数を決定してよい。次に、チャネル毎の視聴者だった目標グループ内の参加視聴者３０４の数と、対象となるコンテンツをそのチャネルに配信することを今後考慮するのに必要である視聴者数のしきい値とを比較してよい。コンピュータ１００はこのステップの結果に基づいて、対象となるコンテンツをどのテレビジョンチャネルに配信するかを今後考慮する、および/または考慮しないという表示を中央データベース１１０内に記憶してよい。
【００８２】
ステップ９２４で、コンピュータ１００は、対象となるコンテンツの配信で使用することをまだ考慮中のテレビジョン番組またはチャネル毎の目標グループリーチインデックスを計算してよい。目標グループリーチインデックスは、ステップ９１８で決定した番組またはチャネル毎の目標グループリーチを、ステップ９０８で決定した各番組またはチャネルの全リーチで割った商でよい。目標グループリーチインデックスはコンピュータ１００で中央データベース１１０内に記憶してよい。
【００８３】
ステップ９２６で、コンピュータ１００はまだ考慮中のチャネルまたは番組毎の、番組またはチャネルあたりの時間の長さ（分）インデックスを計算してよい。番組またはチャネルあたりの時間の長さ（分）インデックスは、ステップ９２０で決定した目標グループ内の投影された参加視聴者のユニーク視聴者あたりに各チャネルまたは番組を見た時間の長さ（分)を、ステップ９１０で決定した投影された参加視聴者のユニーク視聴者あたりに各チャネルまたは番組を見た時間の長さ（分)で割った商でよい。好ましい実施の形態では、ユニークビジタあたりの時間の長さ（分）インデックスは所定の範囲（０．７から１．３）に制限してよい。チャネルまたは番組毎の目標グループ  分／視聴者  はコンピュータ１００で中央データベース１１０内に記憶してよい。ユニーク視聴者あたりの時間の長さ（分）インデックスはコンピュータ１００で中央データベース１１０内に記憶してよい。
【００８４】
ステップ９３２で、コンピュータ１００は、まだ考慮中のテレビジョンチャネルまたは番組毎の時間あたりの広告インデックスを計算してよい。時間あたりの広告インデックスは、考慮中のチャネルまたは番組での時間あたりの広告の平均数を、同じカテゴリ内の他のチャネルまたは番組での時間あたりの広告の平均数で割った商でよい。ページあたりの広告インデックスはコンピュータ１００で中央データベース１１０内に記憶してよい。
【００８５】
ステップ９３４で、コンピュータ１００は、まだ考慮中のテレビジョン番組毎の過去のパフォーマンスインデックスを計算してよい。過去のパフォーマンスインデックスは、広告キャンペーンで用いたテレビジョンチャネルまたは番組の過去のパフォーマンスを測るのに用いた測定基準を、同様の広告キャンペーンで用いた他のテレビジョンチャネルまたは番組の全てまたはその集合のパフォーマンスを測るのに用いた測定基準で割った商でよい。過去のパフォーマンスの測定基準の例は、その広告により生じた売上高の増加、その広告により生じた購入見込みの増加、およびコンバージョン率を含むが、これに限定されない。ここで、「コンバージョン」は、購入、寄付、政治家との接触、またはオンラインコミュニティへの加入でよい。過去のパフォーマンスインデックスはコンピュータ１００で中央データベース１１０内に記憶してよい。
【００８６】
ステップ９３６で、コンピュータ１００は、どの参加視聴者が参加視聴者の対立グループ（対象となるコンテンツを送らないグループ）に含まれるとするかを決定してよい。対立グループの定義は、ステップ９１２に関して述べた目標グループの態度値と最も異なる態度値を有するグループである。目標グループの場合と同様に参加視聴者の対立グループは参加視聴者毎に１つ以上を態度値を決定することによりコンピュータ１００で決定してよい。次に、参加視聴者の決定された態度値と、選択された対立態度値のしきい値および／または態度値の範囲とをコンピュータ１００で比較してよい。特定の参加視聴者の態度値が、選択された対立態度値のしきい値および／または範囲を満たす場合は、その参加視聴者が対立グループの一部であるとコンピュータ１００で示してよい。
【００８７】
ステップ９３８で、コンピュータ１００はテレビジョン視聴情報１１７を用いて、解析期間中の各月に対立グループ内の参加視聴者３０４が見たテレビジョンチャネルまたは番組毎の投影された月次視聴測定基準を決定してよい。チャネルまたは番組毎に決定される投影された視聴測定基準はステップ９０４に関して述べたのと同じ測定基準を含んでよく、またステップ９０４と同じように投影係数により影響されることがある。対立グループ内並びに目標グループ内の参加視聴者３０４が見たチャネルまたは番組毎の投影された月次視聴測定基準は、コンピュータ１００でデータベース１１０内に記憶してよい。
【００８８】
ステップ９４０で、ステップ９３８で決定した投影された月次視聴測定基準を、ステップ９０６に関して説明したのと同じようにコンピュータ１００で結合して（すなわち、合計して）よい。結合する前に月次視聴測定基準に割引係数を適用して、前の月に関する視聴測定基準の減少値を説明してよい。結合された月次視聴測定基準は、コンピュータ１００でデータベース１１０内に記憶してよい。
【００８９】
ステップ９４２で、対立グループ内の参加視聴者３０４が見た各テレビジョンチャネルまたは番組の対立グループリーチを、テレビジョン視聴情報１１７を用いてコンピュータ１００で計算してよい。対立グループリーチは、解析期間中の対立グループ内の投影された参加視聴者によるそのテレビジョンチャネルまたは番組の投影された視聴者の数を、対立グループ内の投影された視聴者の総数で割った商でよい。各チャネルまたは番組の対立グループリーチは、コンピュータ１００でデータベース１１０内に記憶してよい。
【００９０】
ステップ９４４で、コンピュータ１００はテレビジョン視聴情報１１７を用いて、各番組またはチャネルの視聴者だった対立グループ内の参加視聴者３０４の数を決定してよい。次に、各番組またはチャネルの視聴者だった対立グループ内の参加視聴者３０４の数と、超えないことが必要である視聴者のしきい値とを比較してよい。コンピュータ１００は、このステップの結果に基づいて、対象となるコンテンツをどのテレビジョンチャネルおよび番組に配信するかを今後更に考慮する、および／または考慮しないという表示をデータベース１１０内に記憶してよい。
【００９１】
ステップ９４６で、コンピュータ１００は、まだ考慮中のテレビジョンチャネルおよび番組毎の対立グループリーチインデックスを計算してよい。対立グループリーチインデックスは、ステップ９４２で決定したチャネルまたは番組毎の対立グループリーチを、ステップ９０８で決定した各チャネルまたは番組の全リーチで割った商でよい。対立グループリーチインデックスは、コンピュータ１００でデータベース１１０内に記憶してよい。
【００９２】
ステップ９４８で、対立グループリーチインデックスを目標グループリーチインデックスから引いて、またはより好ましくは、対立グループリーチインデックスを目標グループリーチインデックスで割って、ネット・サポート・スコア（ＮＳＳ）をコンピュータ１００で計算してよい。ネット・サポート・スコアは、（１）目標グループと同様の態度値（すなわち、態度）を有する参加および不参加の視聴者３０４および３１０が見る可能性が高く、（２）対立グループと同様の態度値（すなわち、態度）を有する参加および不参加の視聴者が見る可能性が低い、対象となるコンテンツを配信するためのテレビジョンチャネルおよび／または番組を識別するのに用いてよい。テレビジョンチャネルまたは番組毎のＮＳＳをコンピュータでランク付けして、参加および不参加の視聴者に対象となるコンテンツを配信するのに一層適したテレビジョンチャネルおよび／または番組を識別してよい。ＮＳＳによるテレビジョンチャネルのランキングの一例を図１１に示す。テレビジョン番組毎のＮＳＳおよび各テレビジョン番組のランキングの表示はコンピュータ１００で中央データベース１１０内に記憶してよい。
【００９３】
別の実施の形態では、ＮＳＳを計算するのに、対立グループリーチインデックスに対立グループのユニークビジタあたりの時間の長さ（分）インデックスを掛け、次にその結果を、目標グループリーチインデックスに目標グループのユニーク視聴者あたりの時間の長さ（分）インデックスを掛けた結果から引いて、または割ってよい。目標グループのユニーク視聴者あたりの時間の長さ（分）インデックスは、上のステップ９２０に関して述べたようにコンピュータ１００で決定してよい。対立グループのユニーク視聴者あたりの時間の長さ（分）インデックスは、ステップ９２０で目標グループについて説明したのと同じようにテレビジョン視聴情報１１７を用いてコンピュータで決定してよい。チャネルまたは番組毎の（目標グループ  分／見たチャネルまたは番組）はコンピュータ１００で中央データベース１１０内に記憶してよい。
【００９４】
ステップ９５０で、品質訪問インデックス（ＱＶＩ）値はテレビジョンチャネルまたは番組毎に、態度値、目標グループリーチインデックス、対立グループリーチインデックス、ＮＳＳ、視聴者あたりの見た時間の長さ（分）インデックス、時間あたりの広告インデックス、過去のパフォーマンスインデックス、チャネルあたりの時間の長さ（分）インデックス、およびチャネルあたりの広告インデックスの１つ以上に基づいてコンピュータ１００で決定してよい。より特定すると、本発明の１つの実施の形態では、上述のインデックスおよびＮＳＳの１つ以上を掛け合わせてＱＶＩ値を生成してよい。本発明の別の実施の形態では、インデックスおよびＮＳＳの１つ以上に裁量係数（ｄｉｓｃｒｅｔｉｏｎａｒｙ  ｆａｃｔｏｒ）を掛けてもよい。裁量係数は、ＱＶＩ決定において特定のインデックスまたはＮＳＳに重いまたは軽い重みを与えるものである。本発明の更に別の実施の形態では、インデックスおよびＮＳＳの１つ以上の指数値を掛け合わせてＱＶＩ値を生成してよい。
【００９５】
ＱＶＩは回帰モデルまたは他の統計的手法を用いて決定してよい。ＱＶＩ値は以下の変数の関数でよい。
目標グループリーチインデックス
視聴者あたりの見た時間の長さ（分）インデックス
時間あたりの広告数に関する情報
過去のパフォーマンスインデックス
コンテンツ品質インデックス
番組コンテンツ情報（アクション、コメディ、自然など）
ショータイプ（ドキュメンタリ、ニュース、シットコム、映画など）
時間帯
曜日
【００９６】
ステップ９５０で決定したＱＶＩ値と、しきい値ＱＶＩ値、ＱＶＩ値の範囲、または他のテレビジョンチャネルおよび番組の他のＱＶＩ値に対するランク付けとを比較して、対象となるコンテンツを配信するのに最適のテレビジョンチャネルおよび／または番組を決定してよい。ＱＶＩ値によるテレビジョンチャネルのランク付けの例を図１１に示す。決定されたＱＶＩ値がしきい値ＱＶＩ値を超える場合または所定のＱＶＩ値の範囲内にある場合は、目標グループのメンバが欲しがると思われるコンテンツを含むものとして、問題のテレビジョンチャネルまたは番組を選択してよい。または、特定のテレビジョンチャネルまたは番組のＱＶＩ値のランクが他のテレビジョンチャネルまたは番組のＱＶＩ値に比べて高い場合は、目標グループのメンバが欲しがると思われるコンテンツを含むものとして、問題のテレビジョンチャネルまたは番組を選択してよい。
【００９７】
いったんテレビジョンチャネルまたは番組が、そのテレビジョンチャネルの決定されたＱＶＩ値に基づいて対象となるコンテンツを参加および／または不参加の視聴者に配信するのに用いるように選択された後は、コンテンツは１つ以上のＴＶサービスプロバイダ１１２０に送信され、更にその１つ以上のＴＶサービスプロバイダ１１２０から通信ネットワーク１１００により１台以上の視聴者テレビジョンモニタ３２０に送信される。
【００９８】
当業者に明らかなように、本発明の範囲または精神から逸れることなく、本発明の変更および修正を行うことができる。例えば、上に述べたＱＶＩを決定するための特定の式は好ましいＱＶＩ式の例であって、本発明を制限するものと考えてはならない。本発明の範囲から逸れずに、異なるＱＶＩ式を用いてよい。更に、本発明の範囲から逸れずに、テレビジョンチャネルについて行った決定はテレビジョン番組に対して行ってよく、またはその逆でもよい。
【図１】
2014523216.tif 000003
【図１Ａ】
2014523216.tif 000004
【図２】
2014523216.tif 000005
【図３】
2014523216.tif 000006
【図４】
2014523216.tif 000007
【図５】
2014523216.tif 000008
【図６】
2014523216.tif 000009
【図７】
2014523216.tif 000010
【図８】
2014523216.tif 000011
【図９】
2014523216.tif 000012
【図１０Ａ】
2014523216.tif 000013
【図１０Ｂ】
2014523216.tif 000014
【図１１】
2014523216.tif 000015
【図１２】
2014523216.tif 000016
【図１３】
2014523216.tif 000017
【図１４】
2014523216.tif 000018
【国際調査報告】
2014523216.tif 000019